(57)【要約】【課題】ユーザの意向を自動的に推測することにより、ユーザがバナー画像等の表示情報を選択した後に、推測された意向に基づきユーザごとに異なる配信情報を配信することのできる情報配信装置及び情報配信方法を提供すること。【解決手段】広告配信装置１は、バナー画像Ｂが選択されたことを検知する検知手段Ｐ１と、端末２の属性情報Ｆ１を取得する取得手段Ｐ２と、バナー画像Ｂの選択後に、広告情報Ａを、属性情報Ｆ１に応じて配信態様を変更して配信する配信手段Ｐ４と、を有する。【選択図】図１
2014134995.tif 000002
【特許請求の範囲】
【請求項１】
端末の表示画面に表示された所定の表示情報が選択されたことを検知する検知手段と、
前記端末に関連する属性情報を取得する取得手段と、
前記所定の表示情報が選択されたことが検知された場合に、前記表示画面に表示するための配信情報を、前記属性情報に応じて配信態様を変更して配信する配信手段と、を有する、情報配信装置。
【請求項２】
前記属性情報は、前記所定の表示情報のクリック率を含む、請求項１に記載の情報配信装置。
【請求項３】
前記属性情報は、前記端末に関する行動履歴情報を含む、請求項１又は請求項２に記載の情報配信装置。
【請求項４】
前記端末を分類するための判断基準となる分類基準と、
前記属性情報と前記分類基準との比較に基づき前記端末を少なくとも第１分類と第２分類とに分類する分類手段と、を更に有し、
前記配信手段が、
前記端末が前記第２分類に分類された場合に前記配信情報として第２配信情報を配信し、
前記端末が前記第１分類に分類された場合に前記配信情報として前記第２配信情報と異なる第１配信情報を配信するか、又は、配信情報を配信しない、請求項１から請求項３のうちいずれか１項に記載の情報配信装置。
【請求項５】
前記検知手段は、
前記表示画面に表示された前記第２配信情報が選択されたことを検知し、
前記配信手段は、
前記第２配信情報が選択されたことが検知された場合に、前記第１配信情報を配信する、請求項４に記載の情報配信装置。
【請求項６】
前記端末が第１分類に分類された場合に前記第１配信情報の配信に基づき第１の課金額を示す第１課金情報を生成し、
前記端末が第２分類に分類された場合に前記第２配信情報の配信に基づき第２の課金額を示す第２課金情報を生成する課金手段、を更に有する請求項４又は請求項５に記載の情報配信装置。
【請求項７】
前記課金手段が、
前記端末が第２分類に分類された場合に前記第１配信情報の配信に基づき前記第１の課金額と前記第２の課金額との差分に基く第３の課金額を示す第３課金情報を生成する、請求項６に記載の情報配信装置。
【請求項８】
コンピュータに、
端末の表示画面に表示された所定の表示情報が選択されたことを検知するステップと、
前記端末に関連する属性情報を取得するステップと、
前記所定の表示情報が選択されたことが検知された場合に、前記表示画面に表示するための配信情報を、前記属性情報に応じて配信態様を変更して配信するステップと、を実行させる情報配信方法。
【発明の詳細な説明】
【技術分野】
【０００１】
本発明は、情報配信装置、及び、情報配信方法に係り、特に広告情報を端末に向けて配信する情報配信装置等に関する。
【背景技術】
【０００２】
従来より、携帯電話、パーソナルコンピュータ等の端末に向けての広告情報配信が行われている。この広告情報配信では、更に詳細な広告情報が掲載された詳細情報ページへのリンクが貼られたバナー画像等の広告画像が表示される。ユーザが端末においてバナー画像をクリックすると、端末に向けてリンク先の詳細情報ページの内容が送信され、詳細な広告情報が端末に表示される。
【０００３】
広告画像が端末においてクリックされたことは、広告配信を管理する広告配信サーバによって検出される。広告配信サーバは、どの広告画像が何回クリックされたか等の管理情報に基づき、広告主ごとの課金情報を生成し、広告主への課金管理を行う。
【０００４】
広告画像がクリックされた場合に、即座に詳細情報ページの内容が端末に表示されるのでなく、一旦中間ページの内容が表示される提案がある（例えば、特許文献１を参照。）これによれば、広告画像がクリックされた後に、端末に一旦中間ページの内容が表示され、その中間ページ内の「広告主サーバへの移動ボタン」をクリックすると、詳細情報ページである広告主サーバの情報が端末へと送信されるようになっている。
【先行技術文献】
【特許文献】
【０００５】
【特許文献１】特開２０１２−２４２９７６号公報
【発明の概要】
【発明が解決しようとする課題】
【０００６】
広告画像がクリックされた場合に中間ページが表示されるようになっていれば、中間ページにおいて、詳細情報ページへの移行の意思確認をすることができ、ユーザの意志に拘わらず不用意に詳細情報ページが端末に表示されることを防止することができる。しかしながら、広告画像のクリックにより毎回中間ページが表示されると、詳細情報ページへの移行の意志を有するユーザに対しては、「面倒」や「煩雑」な印象を与えてしまう。また、詳細情報ページの表示までにかかる時間も長くなってしまい、迅速に詳細情報を必要とするユーザのニーズを充足することが難しい。
【０００７】
迅速に詳細情報を必要とするユーザか、中間ページにおいて詳細情報表示（詳細情報ページヘの移行）の意思確認を行うべきユーザか、を自動的に推測し、広告画像をクリックした後に、ユーザごとに端末に異なる情報を提供するようになっていれば好ましい。
【０００８】
本発明は上記の事情に鑑みて為されたもので、ユーザの意向を自動的に推測することにより、ユーザがバナー画像等の表示情報を選択した後に、推測された意向に基づきユーザごとに異なる配信情報を配信することのできる情報配信装置及び情報配信方法を提供することを例示的課題とする。
【課題を解決するための手段】
【０００９】
上記の課題を解決するために、本発明の例示的側面としての情報配信装置は、端末の表示画面に表示された所定の表示情報が選択されたことを検知する検知手段と、所定の表示情報が選択されたことが検知された場合に、端末に向けて配信情報を配信する配信手段と、端末に関連する属性情報であって、少なくとも端末によるインターネットサイトの閲覧履歴を含むものを端末から取得する取得手段と、端末を分類するための判断基準となる分類基準と、属性情報と分類基準との比較に基づき端末を少なくとも第１分類と第２分類とに分類する分類手段と、を有し、配信手段が、端末が第１分類に分類された場合に端末に向けて配信情報として第１配信情報を配信し、端末が第２分類に分類された場合に端末に向けて配信情報として第１配信情報と異なる第２配信情報を配信する。
【００１０】
本発明の他の例示的側面としての情報配信方法は、コンピュータに、端末の表示画面に表示された所定の表示情報が選択されたことを検知するステップと、所定の表示情報が選択されたことが検知された場合に、端末に向けて配信情報を配信するステップと、端末に関連する属性情報であって、少なくとも端末によるインターネットサイトの閲覧履歴を含むものを端末から取得するステップと、属性情報と端末を分類するための判断基準となる分類基準との比較に基づき端末を少なくとも第１分類と第２分類とに分類するステップと、を実行させる情報配信方法であって、配信手段によるステップが、端末が第１分類に分類された場合に端末に向けて配信情報として第１配信情報を配信し、端末が第２分類に分類された場合に端末に向けて配信情報として第１配信情報と異なる第２配信情報を配信するものである。
【００１１】
本発明の更なる目的又はその他の特徴は、以下添付図面を参照して説明される好ましい実施の形態によって明らかにされるであろう。
【発明の効果】
【００１２】
ユーザの意向を自動的に推測することにより、ユーザがバナー画像等の表示情報を選択した後に、その推測された意向に基づきユーザごとに異なる配信情報を配信することができる。
【図面の簡単な説明】
【００１３】
【図１】実施形態に係る広告システムの全体構成図である。
【図２】実施形態に係るニュースサーバが端末に向けて送信するニュースサイトのサイトページの一例を示したものである。
【図３】実施形態に係る広告配信装置の内部構成の概略を示すブロック図である。
【図４】実施形態に係る広告情報データベースのデータ構造図である。
【図５】実施形態に係る課金情報データベースのデータ構造図である。
【図６】実施形態に係る詳細情報の表示例である。
【図７】実施形態に係る中間ページ情報の表示例である。
【図８】実施形態に係る広告情報配信プロセスを説明するフローチャートである。
【図９】変形例１に係る中間ページ情報の表示例である。
【発明を実施するための形態】
【００１４】
［実施形態］
以下、実施形態を、添付図面に基づいて説明する。図１は、実施形態に係る広告システムＳの全体構成図である。広告システムＳは、広告配信装置（情報配信装置、コンピュータ）１、端末２、広告主サーバ３、メディアサーバ４間での各種情報送受信により構成される。
【００１５】
＜端末２＞
端末２は、ユーザが所有又は管理する端末であり、例えば、携帯電話、パーソナルコンピュータ、スマートフォン、タブレット端末等が適用可能である。端末２は、内部に演算処理装置及びメモリを有し、表示画面２ａとキーボード（情報入力部）とを有する。端末２は、有線又は無線によりインターネットＷに接続され、広告配信装置１、広告主サーバ３、メディアサーバ４と情報送受信可能である。本実施形態においては、端末２はパーソナルコンピュータ（ＰＣ）である。
【００１６】
端末２においては、例えばインターネットブラウザ等のアプリケーションプログラムを用いることにより、種々のインターネットサイトのサイトページが閲覧可能である。端末２のメモリ内部には、属性情報Ｆ１が格納されている。属性情報Ｆ１は、ユーザが端末２を用いて過去に閲覧したインターネットサイトのサイトページに関連する情報や、ユーザが端末２を用いて過去にインターネットショップ等で購入した商品等に関連する情報（行動履歴情報）である。例えば、端末２内に格納されるクッキー（ｃｏｏｋｉｅ）情報が属性情報Ｆ１であってもよい。
【００１７】
＜広告主サーバ３＞
広告主サーバ３は、インターネットＷを介して端末２への広告配信を希望する広告主Ｘが所有又は管理する装置（サーバコンピュータ）である。広告主サーバ３は、内部に記憶装置としてのメモリを有しており、そのメモリ内にインターネットサイトとしての広告主サイト３ａの情報を格納している。
【００１８】
広告主サイト３ａは、１又は複数のサイトページによって構成されており、そのサイトページ内に、広告主の事業や商品に関する詳細情報３ｂが記載されている。その詳細情報３ｂは、インターネットＷを介して送信可能となっている。具体的には、端末２から広告主サーバ３へのリクエスト信号に応じて、インターネットＷを介して端末２に向けて詳細情報３ｂが送信され、端末２の表示画面２ａに詳細情報３ｂが表示されるようになっている。
【００１９】
なお、インターネットＷに、広告主Ｘの広告主サーバ３とは別の広告主Ｙが所有又は管理する広告主サーバ３０が接続されていてもよい。広告主サーバ３０は、広告主サーバ３と同様の機能を有する。
【００２０】
＜メディアサーバ４＞
メディアサーバ４は、インターネットＷを介して端末２に向けて種々のコンテンツ情報を送信する装置（サーバコンピュータ）であり、メディア配信者Ｍが所有又は管理する装置である。メディアサーバ４は、内部に記憶装置としてのメモリを有しており、そのメモリ内にインターネットサイトとしてのメディアサイト４ａの情報を格納している。
【００２１】
メディアサーバ４は、１又は複数のサイトページによって構成されており、そのサイトページ内に、種々のコンテンツ情報４ｂが記載されている。コンテンツ情報４ｂとしては、ニュース情報、ポータルサイト情報、ショッピングサイト情報、ブログ情報等を例示することができる。本実施形態では、コンテンツ情報４ｂとしてニュース情報を例として説明する。具体的には、端末２からメディアサーバとしてのニュースサーバ４へのリクエスト信号に応じて、インターネットＷを介して端末２に向けてニュース情報４ｂが送信され、端末２の表示画面２ａにニュース情報４ｂが表示されるようになっている。
【００２２】
図２は、ニュースサーバ４が端末２に向けて送信するニュースサイト（メディアサイト）４ａのサイトページの一例を示したものである。図２は、端末２の表示画面２ａ上に表示された場合の表示レイアウトを示している。ニュースサイト４ａのサイトページ内には、ニュース情報４ｂが記載されている。
【００２３】
サイトページ内の一部には、広告枠４ｃが配置されている。広告枠４ｃには、広告配信装置１から配信されたバナー画像（所定の表示情報）Ｂが表示されている。バナー画像Ｂは、端末２の表示画面２ａを見るユーザの興味を惹くための広告画像であって広告主の商品等を紹介するための画像データである。
【００２４】
バナー画像Ｂでは、概略的な広告情報のみが表示されており、例えば、「ココをクリック！」等の表示がされている。広告主の商品等について、より詳細な情報を知りたいと考えるユーザが、バナー画像Ｂをマウス等の入力手段でクリック（選択）することを催促するようになっている。
【００２５】
バナー画像Ｂがユーザによってクリック（選択）されると、バナー画像Ｂが選択されたことを示す選択情報Ｆ２が端末２から広告配信装置１に向けて送信されるようになっている。選択情報Ｆ２を受信すると、広告配信装置１によって、広告主の商品等を紹介する詳細情報（第１配信情報）、又は、詳細な情報を閲覧するか否かのユーザの意思を確認するための中間ページ情報（第２配信情報）が端末２に向けて選択的に配信される。
【００２６】
＜広告配信装置１＞
広告配信装置１は、端末２に向けてバナー画像（表示情報）Ｂや広告情報（配信情報）Ａを配信するためのコンピュータであり、広告事業者Ｌが所有又は管理する装置である。図３は、広告配信装置１の内部構成の概略を示すブロック図である。広告配信装置１は、内部にコンピュータの主要部としてのＣＰＵ１ａと記憶装置としてのメモリ１ｂとを有している。メモリ１ｂ内には、広告配信プログラム（情報配信プログラム）Ｐ、広告情報データベース（配信情報データベース）ＤＢ１、課金情報データベースＤＢ２とが格納されている。メモリ１ｂ内には、分類基準Ｃも格納されている。
【００２７】
広告配信プログラムＰは、ＣＰＵ１ａに演算処理を実行させて、ＣＰＵ１ａに検知手段Ｐ１、取得手段Ｐ２、分類手段Ｐ３、配信手段Ｐ４、課金手段Ｐ５としての機能を発揮させるプログラムである。分類基準Ｃは、端末２から取得した属性情報Ｆ１に基づいて、端末２を分類するための判断基準である。広告配信プログラムＰによりＣＰＵ１ａが発揮する各手段の機能と分類基準Ｃの詳細については、後述する。
【００２８】
＜広告情報データベースＤＢ１＞
図４は、広告情報データベースＤＢ１のデータ構造図である。広告情報データベースＤＢ１は、広告主情報５ごとにバナー画像Ｂ、広告情報Ａが関連付けられて構築されている。広告情報Ａは、詳細情報（第１配信情報）Ａ１及び中間ページ情報（第２配信情報）Ａ２を有している。図４の例では、広告主Ｘに対し、バナー画像Ｂｘ、詳細情報Ａ１ｘ、中間ページ情報Ａ２ｘが関連付けられ、広告主Ｙに対し、バナー画像Ｂｙ、詳細情報Ａ１ｙ、中間ページ情報Ａ２ｙが関連付けられている。バナー画像Ｂ、詳細情報Ａ１、中間ページ情報Ａ２は、広告主が端末に向けて配信を希望する情報である。予め広告主Ｘ，Ｙと広告事業者Ｌとの取り決めに基づき作成され、広告情報データベースＤＢ１内に格納されている。
【００２９】
この中間ページ情報Ａ２は、例えば、広告配信装置１側で準備したテンプレートに広告主側で必要情報を記入してもらうことにより生成されてもよい。すなわち、広告配信装置１側に中間ページ情報作成用サイトページが準備され、広告主（Ｘ，Ｙ）が広告主サーバ（３，３０）又はその他のコンピュータから中間ページ情報作成用サイトにアクセスし、そのサイトページ内に表示されたテンプレートに必要事項を記入すると、中間ページ情報（Ａ２ｘ，Ａ２ｙ）が生成されて、広告情報データベースＤＢ１内に格納されるものであってもよい。
【００３０】
また、広告主（Ｘ，Ｙ）側に入力してもらった各種情報（テキスト情報、画像情報）に基づき、広告配信装置１側で自動的にレイアウトを行うことによって中間ページ情報（Ａ２ｘ，Ａ２ｙ）が生成されるものであってもよい。広告配信装置１側から広告主サーバ３にアクセスし、広告主サイト３ａ内の詳細情報３ｂを自動的に抽出し、その抽出情報に基づき、中間ページ情報Ａ２ｘを自動的に生成するものであってもよい。
【００３１】
広告主サイト内の詳細情報を自動的に抽出して中間ページ情報を自動生成する場合には、例えば、広告主サイト内の詳細情報の中から画像情報を自動的に抽出して中間ページ情報内に含ませてもよい。また、広告主サイト内の詳細情報を形態素解析することにより、詳細情報中のテキスト情報に基づいて自動要約作成を行い、作成されたその要約を中間ページ情報内に含ませてもよい。もちろん、これらの画像情報の自動抽出や形態素解析による自動要約作成は、広告主側に入力してもらった各種情報に基づき中間ページ情報を自動生成する場合にも適用することができる。
【００３２】
バナー画像Ｂは、例えば、最小限の情報でユーザの興味を強く惹きつける画像情報である。いわゆるキャッチコピーと呼ばれる情報等を例示することができ、例えば、「ココをクリック！」等の文言が記載されていてもよい。詳細情報Ａ１は、広告主Ｘの商品等を紹介し、詳しく説明する情報である。例えば、広告主Ｘの商品ラインナップ、商品の画像、性能、価格情報等が記載されていてもよい。中間ページ情報Ａ２は、バナー画像Ｂと詳細情報Ａ１との中間的な情報量を有する情報である。例えば、広告主Ｘの商品等の概略を紹介する内容と、「詳しくはこちら」等の文言が記載されており、詳細情報Ａ１の表示を望むか否かのユーザ意志を確認する情報を含む。中間ページ情報Ａ２のがクリック（選択）されると、詳細情報Ａ１が表示されるようになっている。
【００３３】
＜課金情報データベースＤＢ２＞
図５は、課金情報データベースＤＢ２のデータ構造図である。課金情報データベースＤＢ２は、広告主情報５と課金情報６とが関連付けられて構築されている。課金情報６は、第１課金情報６ａ、第２課金情報６ｂ、第３課金情報６ｃを有している。
【００３４】
後述する配信手段Ｐ４が広告情報Ａを配信するごとに、課金手段Ｐ５は課金情報６を生成する。配信手段Ｐ４は、端末２やその他の端末に向けて、詳細情報Ａ１や中間ページ情報Ａ２等の広告情報Ａを繰り返し配信する。課金手段Ｐ５が広告主Ｘに関連して第１課金情報６ａを生成すると、広告主Ｘに対して第１課金情報６ａとが関連付けられる。第１課金情報６ａが生成されるごとに、図５の課金情報データベースＤＢ２内の広告主Ｘに関連する第１課金情報６ａの欄に生成回数がカウントされる。同様に、課金手段Ｐ５が広告主Ｘに関連して第２課金情報６ｂ（第３課金情報６ｃ）を生成すると、広告主Ｘに対して第２課金情報６ｂ（第３課金情報６ｃ）が関連付けられ、課金情報データベースＤＢ２内の広告主Ｘに関連する第２課金情報６ｂ（第３課金情報６ｃ）の欄に生成回数がカウントされる。
【００３５】
図５においては、広告主Ｘに関連する第１課金情報６ａが２回、第２課金情報６ｂが３回、第３課金情報６ｃが１回生成された例を示している。なお、特定の広告主に関連する第３課金情報６ｃの生成回数が第２課金情報６ｂの生成回数より大きくなることはない。
【００３６】
広告配信プログラムＰが実行されることにより、広告配信装置１の主要部としてのＣＰＵ１ａは、検知手段Ｐ１、取得手段Ｐ２、分類手段Ｐ３、配信手段Ｐ４、課金手段Ｐ５として機能する。
【００３７】
＜検知手段Ｐ１＞
検知手段Ｐ１は、端末２によってバナー画像Ｂがクリック（選択）されたことを検知する機能を有する。端末２がインターネットＷを介してニュースサーバ４にアクセスすると、端末２の表示画面２ａにニュースサイト４ａのサイトページが表示される。サイトページ内には、ニュース情報４ｂと広告枠４ｃが配置されており、その広告枠４ｃ内にバナー画像Ｂが表示される。
【００３８】
バナー画像Ｂは、広告配信装置１の配信手段Ｐ４によって広告情報データベースＤＢ１に基づき配信される。広告配信装置１は、広告情報データベースＤＢ１内から、所定のアルゴリズムに基づきいずれかのバナー画像Ｂｘ，Ｂｙを選択して端末２へと配信する。本実施形態では、広告主Ｘのバナー画像Ｂｘが選択されて端末２へと配信されている。
【００３９】
バナー画像Ｂｘには、ユーザの興味を惹くように「ココをクリック！」等の表示がされている。ユーザが端末２においてバナー画像Ｂｘをクリックすると、クリックしたことを示す選択情報Ｆ２が端末２から広告配信装置１へと送信され、検知手段Ｐ１によって検知されるようになっている。
【００４０】
なお、検知手段Ｐ１は、後述する中間ページ情報Ａ２ｘが表示画面２ａに表示された場合において、その中間ページ情報Ａ２ｘが端末２のユーザによってクリック（選択）されると、端末２から送信される選択情報Ｆ２０を検知する機能も有する。
【００４１】
＜取得手段Ｐ２＞
取得手段Ｐ２は、端末２に関連する属性情報Ｆ１を取得する機能を有する。属性情報Ｆ１は、端末２のユーザが広告主Ｘの広告に係る商品等への興味の度合いを推測するために利用する情報である。属性情報Ｆ１は、例えば、端末２に関する過去のインターネットサイト閲覧履歴情報や、端末２を用いてユーザが過去に購入した商品の購入履歴情報である。
【００４２】
これらの履歴情報に基づき、端末２のユーザが、広告主Ｘの広告に係る商品等に対しどの程度の興味を持つかを推測することができる。換言すれば、属性情報Ｆ１に基づき、端末２のユーザがバナー画像Ｂｘを選択した後に、詳細情報Ａ１ｘを配信すべきか、中間ページ情報Ａ２ｘを配信すべきか、を判断することができる。
【００４３】
属性情報Ｆ１は、端末２内に格納されているクッキー情報であってもよい。また、端末２の過去の行動履歴情報（インターネットサイト閲覧履歴情報、購入履歴情報等）を広告配信装置１が予め端末２に関連付けて蓄積している場合は、その広告配信装置１内の端末２の行動履歴情報を属性情報Ｆ１として利用してもよい。端末２からのクッキー情報と広告配信装置１内の端末２の行動履歴情報とを両方とも属性情報Ｆ１として利用してももちろんよい。取得手段Ｐ２は、端末２内や広告配信装置１内の属性情報Ｆ１を取得し、分類手段Ｐ３へと送る。
【００４４】
もちろん、この属性情報Ｆ１は、端末２と関連付けられて端末２や広告配信装置１とは別の装置内にユーザデータベースとして格納されていてもよい。その場合、取得手段Ｐ２は、別の装置内のユーザデータベース内から端末２に関連する属性情報Ｆ１を取得する。
【００４５】
＜分類手段Ｐ３＞
分類手段Ｐ３は、属性情報Ｆ１と分類基準Ｃとの比較に基づき、端末２を第１分類と第２分類とに分類する機能を有する。分類手段Ｐ３は、取得手段Ｐ２から端末２に関連する属性情報Ｆ１を受け取ると、その属性情報Ｆ１と分類基準Ｃとを比較する。分類基準Ｃは、端末２を第１分類に分類するか、第２分類に分類するかの判断基準である。
【００４６】
例えば、分類基準Ｃは、端末２に関連する属性情報Ｆ１が、過去の購入履歴情報として広告主Ｘの商品の購入履歴に関する情報を有しているか否か、を判断する基準であってもよい。この場合、端末２に関連する属性情報Ｆ１が、過去の購入履歴情報として広告主Ｘの商品の購入履歴に関する情報を有している場合に分類手段Ｐ３は端末２を第１分類に分類し、その他の場合に分類手段Ｐ３は端末２を第２分類に分類する。
【００４７】
また、例えば、分類基準Ｃは、端末２に関連する属性情報Ｆ１が、直近の所定期間（例えば、１週間等）内に広告主Ｘの広告主サイト３ａにアクセスしたか否か、を判断する基準であってもよい。この場合、端末２に関連する属性情報Ｆ１が、過去１週間以内に広告主Ｘの広告主サイト３ａにアクセスしたことを示す閲覧履歴情報を有している場合に分類手段Ｐ３は端末２を第１分類に分類し、その他の場合に分類手段Ｐ３は端末２を第２分類に分類する。分類手段Ｐ３は、端末２に関する分類結果を配信手段Ｐ４へと送る。
【００４８】
＜配信手段Ｐ４＞
配信手段Ｐ４は、バナー画像Ｂｘが選択されたことが検知手段Ｐ１によって検知された場合に（すなわち、バナー画像Ｂｘがクリックされた後に）、分類手段Ｐ３による分類結果に基づき、配信態様を変更して配信情報を配信する機能を有する。配信態様の変更とは、分類結果に基づき配信情報を変更する場合と、分類結果に基づき配信情報を配信するか否かを変更する場合とを含む。本実施形態では、配信手段Ｐ４は、端末２に関する分類結果に応じて、端末２に向けて詳細情報Ａ１ｘ又は中間ページ情報Ａ２ｘを配信する。すなわち、分類手段Ｐ３から受け取った分類結果が、端末２を第１分類に分類することを示すものである場合に、広告情報データベースＤＢ１に基づき端末２に向けて詳細情報Ａ１ｘを配信する。図６に示すように、端末２の表示画面２ａに広告主Ｘの商品等に関する詳細情報Ａ１ｘが表示される。分類手段Ｐ３から受け取った分類結果が、端末２を第２分類に分類することを示すものである場合に、広告情報データベースＤＢ１に基づき端末２に向けて詳細情報Ａ１ｘと異なる中間ページ情報Ａ２ｘを配信する。図７に示すように、端末２の表示画面２ａに広告主Ｘの商品等に関する中間ページ情報Ａ２ｘが表示される。
【００４９】
これにより、第１分類に分類された端末２に向けて、そのユーザが広告主Ｘの商品等に強い興味を持つとの推測に基づき、バナー画像Ｂｘのクリック後にすぐに詳細情報Ａ１ｘを配信することができる。広告主Ｘの商品等に強い興味を持つユーザに、迅速に、かつ、手間をかけさせることなく、詳細情報Ａ１ｘを提供することができる。
【００５０】
第２分類に分類された端末２に向けて、そのユーザが広告主Ｘの商品等にさほど強い興味を持たないとの推測に基づき、バナー画像Ｂｘのクリック後に中間ページ情報Ａ２ｘを配信することができる。詳細情報Ａ１ｘの表示を望むか否か不明のユーザに対し、詳細情報Ａ１ｘの表示の是非について意思確認を行うことができる。
【００５１】
配信手段Ｐ４は更に、検知手段Ｐ１が選択情報Ｆ２０を検知すると（すなわち、中間ページ情報Ａ２ｘが配信された端末２において中間ページ情報Ａ２ｘがクリック（選択）されると）、その端末２に向けて詳細情報Ａ１ｘを配信する機能を有する。中間ページ情報Ａ２ｘを確認したユーザが詳細情報Ａ１ｘを要望した場合に、そのユーザの端末２に向けて迅速に詳細情報Ａ１ｘを提供することができる。
【００５２】
＜課金手段Ｐ５＞
課金手段Ｐ５は、課金情報６を生成する機能を有する。具体的には、課金手段Ｐ５は、端末２が第１分類に分類された場合に端末２に詳細情報Ａ１ｘが配信されると、第１の課金額を示す第１課金情報６ａを生成する。課金手段Ｐ５は、端末２が第２分類に分類された場合に端末２に中間ページ情報Ａ２ｘが配信されると、第２の課金額を示す第２課金情報６ｂを生成する。課金手段Ｐ５は、端末２が第２分類に分類された場合に端末２に詳細情報Ａ１ｘが配信されると、第３の課金額を示す第３課金情報６ｃを生成する。
【００５３】
ここで、第１課金額＝第２課金額＋第３課金額であってもよい。このように設定することにより、端末２が第１分類に分類されても第２分類に分類されても、最終的に端末２に向けて詳細情報Ａ１ｘが配信された場合の課金額を同額とすることができる。広告効果に対する課金負担の公平性を担保することができる。
【００５４】
例えば、本実施形態では、端末２が第１分類に分類された状況で、バナー画像Ｂｘがクリックされると、詳細情報Ａ１ｘが配信されると共に第１課金情報６ａとして１００円の課金情報が生成される。一方、端末２が第２分類に分類された状況で、バナー画像Ｂｘがクリックされると、中間ページ情報Ａ２ｘが配信されると共に第２課金情報６ｂとして第１課金情報６ａの２０％の額である２０円の課金情報が生成される。その後、中間ページ情報Ａ２ｘが更にクリックされると、詳細情報Ａ１ｘが配信されると共に第３課金情報６ｃとして第１課金情報６ａの残り８０％である８０円の課金情報が生成される。
【００５５】
課金手段Ｐ５が課金情報６を生成すると、生成された課金情報６が課金情報データベースＤＢ２内に格納される。広告主（Ｘ，Ｙ）ごとに、第１課金情報６ａ、第２課金情報６ｂ、第３課金情報６ｃの各々の生成回数が課金情報データベースＤＢ２内に格納される。この課金情報データベースＤＢ２内の課金情報６の生成回数に基づき、広告主（Ｘ，Ｙ）への課金額が集計される。
【００５６】
＜広告情報配信プロセス＞
次に、広告配信装置１による広告情報配信プロセスを図８のフローチャートに基づいて説明する。なお、以下においては、主として端末２を主体とする表現を用いるが、当然に端末２を操作するユーザ（使用者、所有者、管理者）が存在する。したがって、「端末２が（端末２に、端末２の）」と「ユーザが（ユーザに、ユーザの）」とは略同義である。
【００５７】
端末２がニュースサイト４ａにアクセスすると、ニュースサーバ４がニュース情報４ｂを端末２に向けて送信すると共に、広告配信装置１が端末２に向けて広告主Ｘのバナー画像Ｂ１を送信する（Ｓ１）。端末２がバナー画像Ｂ１をクリック（選択）すると（Ｓ２）、広告配信装置１がその選択情報Ｆ２を検知する（Ｓ３）。広告配信装置１は、端末２から属性情報Ｆ１を取得する（Ｓ４）。広告配信装置１は、属性情報Ｆ１に基づいて、端末２を第１分類か第２分類かに分類する（Ｓ５）。
【００５８】
端末２が第１分類の場合、広告配信装置１は、選択情報Ｆ２が検知されたことに基づき広告主Ｘの商品等に関する詳細情報Ａ１ｘを端末２に向けて配信する（Ｓ６）。広告配信装置１は、端末２が第１分類であって詳細情報Ａ１ｘが配信されたことに基づき、第１課金情報６ａ（１００円）を生成する（Ｓ７）。
【００５９】
一方、端末２が第２分類の場合、広告配信装置１は、選択情報Ｆ２が検知されたことに基づき広告主Ｘの商品等に関する中間ページ情報Ａ２ｘを端末２に向けて配信する（Ｓ８）。広告配信装置１は、端末２が第２分類であって中間ページ情報Ａ２ｘが配信されたことに基づき、第２課金情報６ｂ（２０円）を生成する（Ｓ９）。
【００６０】
端末２が中間ページ情報Ａ２ｘをクリック（選択）すると（Ｓ１０）、広告配信装置１がその選択情報Ｆ２０を検知する（Ｓ１１）。広告配信装置１は、選択情報Ｆ２０が検知されたことに基づき広告主Ｘの商品等に関する詳細情報Ａ１ｘを端末２に向けて配信する（Ｓ１２）。広告配信装置１は、端末２が第２分類であって詳細情報Ａ１ｘが配信されたことに基づき、第３課金情報６ｃ（８０円）を生成する（Ｓ１３）。
【００６１】
以上、本発明の実施形態の１つを説明したが、本発明はこれらに限定されるものではなく、その要旨の範囲内で様々な変形や変更が可能である。
【００６２】
上記に説明したいずれの機能を検知手段Ｐ１、取得手段Ｐ２、分類手段Ｐ３、配信手段Ｐ４、課金手段Ｐ５のいずれが発揮するか、又は、いずれのプロセスを検知手段Ｐ１、取得手段Ｐ２、分類手段Ｐ３、配信手段Ｐ４、課金手段Ｐ５のいずれが実行するかは、特段限定されるものではない。いずれにしても、広告配信プログラムＰの実行によってＣＰＵ１ａが上記に説明した機能発揮、又は、プロセス実行をすればよい。
【００６３】
また、上記では、広告情報データベースＤＢ１と課金情報データベースＤＢ２とを別々のデータベースとして説明したが、これに限られない。これらが一体となって１つのデータベースを構成してもよい。データベースの形態としては限定されず、上記で説明した各々の情報が関連付けられていれば、データベースとしての機能を発揮する。
【００６４】
［変形例１］
上記実施形態では、広告情報データベースＤＢ１に基づき、詳細情報Ａ１ｘが広告配信装置１から端末２に向けて配信される例について説明した。しかしながら、端末２の分類が第１分類の場合であって、バナー画像Ｂｘが選択された場合に、広告主サーバ３から詳細情報３ｂが配信される構成であってもよい。この場合は、広告情報データベースＤＢ１内に詳細情報Ａ１を格納する必要がなくなる。なお、本発明における「配信手段が配信情報を配信する」との概念は、「配信手段が広告配信装置内の配信情報を自ら配信する」場合のみならず、「配信手段が広告主サーバ等の他の装置に、その装置内の配信情報を配信させる」ことをも含む。すなわち、配信手段Ｐ４からの指令（リクエスト信号）に基づき、広告主サーバ３が詳細情報３ｂを端末２に向けて配信することも「配信手段が配信情報を配信する」ことの一形態である。
【００６５】
つまり、端末２が第１分類に分類されている状況において、バナー画像Ｂｘが選択された場合に、広告配信装置１の配信手段Ｐ４は詳細情報Ａ１等の配信情報を配信しなくてもよいし、詳細情報Ａ１の配信を要求するリクエスト信号を広告主サーバ３に向けて送信してもよい。
【００６６】
上記実施形態では、第１分類と第２分類の２つの分類の場合について説明したが、属性情報Ｆ１に基く端末２の分類は、３つ以上であってもよい。この場合において、各々の分類に対応して、中間ページ情報Ａ２が複数種準備されていてもよい。
【００６７】
なお、図９に示すように、端末２の分類が第２分類である場合に、バナー画像Ｂｘがクリックされると、ニュースサイト４ａからのページ遷移を行うことなく、そのままポップアップウィンドウ７として中間ページ情報Ａ２ｘの内容が表示画面２ａに表示されるものであってもよい。
【００６８】
［変形例２］
上記実施形態では、端末２に関する属性情報Ｆ１がユーザのインターネットサイト閲覧履歴や商品購入履歴等の行動履歴情報であり、端末２内に格納されている、とした例について説明した。しかしながら、属性情報Ｆ１としては、種々のものが考え得る。
【００６９】
例えば、属性情報Ｆ１は、端末２に関する（すなわち、端末２のユーザに関する）登録情報であって、端末２内に格納されているものであってもよいし、広告配信装置１内に格納されているものであってもよいし、端末２及び広告配信装置１以外の別の装置内に格納されているものであってもよい。登録情報は、例えば、ユーザの住所、性別、年齢、趣味等の個人情報であってもよい。また、ここで別の装置とは、インターネットショッピングサイトを運営するショッピングサーバやＳＮＳ（ソーシャル・ネットワーキング・サービス）サイトを運営するＳＮＳサーバであってもよい。
【００７０】
取得手段Ｐ２は、端末２に関する登録情報を属性情報Ｆ１として端末２から、広告配信装置１自身から、又は、別の装置から取得し、分類手段Ｐ３は、取得した登録情報（住所、性別、年齢、趣味等の情報）に基づいて端末２を分類してもよい。
【００７１】
また、属性情報Ｆ１は、端末２に関する（すなわち、端末２のユーザに関する）バナー画像Ｂのクリック率であってもよい。クリック率とは、ユーザがバナー画像Ｂをどの程度の頻度でクリックする人物であるかを示す指標値であり、バナー画像Ｂの出現数（表示画面２ａへの表示回数）に対するバナー画像Ｂのクリック回数の割合である。例えば、バナー画像Ｂの表示回数１００回中にユーザが３０回クリックすると、クリック率は３０％となる。
【００７２】
クリック率は、ユーザがバナー画像Ｂをクリックし易い人物かそうでないかを指標する。これに基づき、ユーザがバナー画像に関する情報に興味を持つ人物かそうでないかを推測することができる。例えば、分類基準Ｃを５０％とし、クリック率が５０％以上の端末２を第１分類とし、クリック率が５０％未満の端末２を第２分類とすることで、広告効果と広告効率の向上を実現することができる。
【００７３】
なお、属性情報Ｆ１としてのクリック率は、端末２に向けて配信されるすべてのバナー画像Ｂの表示総回数に基づいて算出されてもよいし、広告主（Ｘ，Ｙ）ごとにクリック率が各々算出されてもよい。広告主Ｘについてのクリック率に基づいて、バナー画像Ｂｘがクリックされたときの分類を行い、広告主Ｙについてのクリック率に基づいて、バナー画像Ｂｙがクリックされたときの分類を行ってもよい。
【００７４】
本発明は、以下の趣旨をも含む。
【００７５】
情報配信装置は、端末の表示画面に表示された所定の表示情報が選択されたことを検知する検知手段と、端末に関連する属性情報を取得する取得手段と、所定の表示情報が選択されたことが検知された場合に、表示画面に表示するための配信情報を、属性情報に応じて配信態様を変更して配信する配信手段と、を有する。
【００７６】
表示情報が選択されたことを検知手段が検知した後に、端末に関連する属性情報に応じて配信態様を変更することができる。したがって、属性情報に応じて異なる配信情報を配信することができる。また、属性情報に応じて配信情報を配信したり配信しなかったりすることもできる。つまり、端末を所持するユーザの意向や行動傾向を自動的に推測し、ユーザがバナー画像等の表示情報を選択した後に、その推測された意向や行動傾向に基づきユーザごとに広告効果の向上と広告効率の向上とを実現することができる。
【００７７】
ここで、「広告効果の高い広告配信」とは、主として広告に関連する商品等の購入に寄与し易いユーザへの集中的な広告配信を意味し、「広告効率の高い広告配信」とは、主として広告に関連する商品等の購入に寄与し難いユーザへの無駄な広告配信を削減する費用低減効果の高い広告配信を意味する。
【００７８】
例えば、広告バナーが選択された後に、あるユーザに対しては迅速に詳細情報を配信し、別のユーザに対しては、詳細情報の閲覧を再確認するための中間的な情報（中間ページ）を配信することができる。ユーザの意向や行動履歴等の属性に応じて適切に配信情報を配信することができる。
【００７９】
なお、ここで「配信情報の配信先」は、最終的には端末である。すなわち配信情報は最終的には端末の表示画面に表示される。配信手段の直接的な配信先は端末に限られず、配信情報を端末へと送信する中継的なメディアサーバ等の別の装置であってもよい。属性情報は、端末から取得してもよいし、別のコンピュータから取得してもよい。例えば、属性情報は、端末内に格納されるクッキー情報等の閲覧履歴情報であってもよいし、端末に関連して情報配信装置や別のコンピュータ内に格納される登録情報（住所、性別、年齢情報等）であってもよい。配信態様を変更する、とは、異なる配信情報を配信する場合も、配信情報を配信したりしなかったりする場合も含む。
【００８０】
属性情報は、所定の表示情報のクリック率を含んでもよい。
【００８１】
クリック率とは、表示情報を選択する割合を示す情報であり、例えば、表示情報の選択回数を表示情報の表示回数で除した数値である。端末のクリック率が高いことは、そのユーザが、表示情報を高い確率で選択することを意味し、端末のクリック率が低いことは、そのユーザが、表示情報をあまり選択しないことを意味する。表示情報が選択された場合に、クリック率の高い端末にはすぐに詳細情報を表示させ、クリック率の低い端末には中間ページを表示させることで、高い広告効果と効率的な広告配信とを両立させることができる。
【００８２】
なお、所定の表示情報のクリック率としての属性情報は、情報配信装置側で収集されて格納されていてもよいし、情報配信装置とは別の装置（例えば、コンテンツ情報を送信するメディアサーバや広告主サイトを提供する広告主サーバ）側で収集されて格納されていてもよい。
【００８３】
属性情報は、端末に関する行動履歴情報を含んでもよい。
【００８４】
行動履歴情報は、端末のユーザの過去の行動に関する情報であって、例えば、ユーザのインターネットサイトの閲覧履歴情報やインターネットショップでの商品購入履歴情報を含む。ユーザの閲覧履歴や購入履歴に基づき、ユーザがどのような商品や情報に高い興味を持つかを推測することができる。その推測に基づいて、所定の表示情報の選択後に中間ページを表示したり、中間ページを表示することなく詳細情報を表示したりすることができる。
【００８５】
なお、属性情報は、端末内に格納されていてもよいし、情報配信装置内に格納されていてもよい。情報配信装置とは別の装置（例えば、コンテンツ情報を送信するメディアサーバや広告主サイトを提供する広告主サーバ）内に格納されていてもよい。
【００８６】
属性情報としては、所定の表示情報のクリック率や端末に関する行動履歴情報の他、端末に関する登録情報も概念することができる。端末に関する登録情報とは、端末のユーザに関する住所、性別、年齢、趣味等の情報である。これらの登録情報は、端末内に格納されていてもよいし、情報配信装置内に格納されていてもよい。情報配信装置とは別の装置（例えば、コンテンツ情報を送信するメディアサーバや広告主サイトを提供する広告主サーバ）内に格納されていてもよい。
【００８７】
端末に関する登録情報に基づき、ユーザがどのような商品や情報に高い興味を持つかを推測することができる。その推測に基づいて、所定の表示情報の選択後に中間ページを表示したり、中間ページを表示することなく詳細情報を表示したりすることができる。
【００８８】
端末を分類するための判断基準となる分類基準と、属性情報と分類基準との比較に基づき端末を少なくとも第１分類と第２分類とに分類する分類手段と、を更に有し、配信手段が、端末が第２分類に分類された場合に配信情報として第２配信情報を配信し、端末が第１分類に分類された場合に配信情報として第２配信情報と異なる第１配信情報を配信するか、又は、配信情報を配信しなくてもよい。
【００８９】
分類基準を有しているので、端末ごとの配信態様の変更の判断基準が明確となる。その分類基準と属性情報との比較に基づいて端末を分類し、分類に応じて配信態様を変更するので、端末の分類に応じた配信態様の変更を確実に実行することができる。
【００９０】
検知手段は、表示画面に表示された第２配信情報が選択されたことを検知し、配信手段は、第２配信情報が選択されたことが検知された場合に、第１配信情報を配信してもよい。
【００９１】
第２配信情報が選択されたことを検知手段が検知してから第１配信情報を配信するので、端末を所持するユーザの意向に沿って適切に第１配信情報を配信することができる。例えば、広告バナーに関する詳細情報を閲覧するか否かを再確認すべきユーザに対しては、詳細情報の閲覧を再確認するための中間的な情報を一旦配信し、その中間的な情報が改めて選択されたことに基づき詳細情報を配信することができる。ユーザの属性に応じて、ユーザの意向を再確認したうえで詳細情報を配信することができる。
【００９２】
端末が第１分類に分類された場合に第１配信情報の配信に基づき第１の課金額を示す第１課金情報を生成し、端末が第２分類に分類された場合に第２配信情報の配信に基づき第２の課金額を示す第２課金情報を生成する課金手段、を更に有してもよい。
【００９３】
第１配信情報の配信に基づく課金情報（第１課金情報）と、第２配信情報の配信に基づく課金情報（第２課金情報）とを異なる課金情報として生成することができる。ユーザの意向や属性に応じて、課金形態を変更することができる。具体的には、例えば、第２課金情報が示す課金額を第１課金情報が示す課金額よりも低額に設定することができる。ユーザの端末に第２配信情報を配信したときの広告主に対する課金を、第１配信情報を配信したときの広告主に対する課金よりも低額にすることで、中間的な情報配信に伴う広告主の金銭的負担を軽減することができる。
【００９４】
課金手段が、端末が第２分類に分類された場合に第１配信情報の配信に基づき第１の課金額と第２の課金額との差分に基づく第３の課金額を示す第３課金情報を生成してもよい。
【００９５】
第１課金額−第２課金額＝第３課金額（すなわち、第１課金額＝第２課金額＋第３課金額）とすることができる。端末が第１分類に分類された場合であっても第２分類に分類された場合であっても、最終的に第１配信情報が配信された場合の課金額を同額とすることができる。例えば、中間的な情報が配信された時点での課金額を少額とすることで、広告主にとっての負担を軽減すると共に、中間的な情報配信の有無に拘わらず最終的に詳細情報が配信された場合の課金額を同額とすることで、広告効果に対する課金額の公平性を確保することができる。
【００９６】
情報配信方法は、コンピュータに、端末の表示画面に表示された所定の表示情報が選択されたことを検知するステップと、端末に関連する属性情報を取得するステップと、所定の表示情報が選択されたことが検知された場合に、表示画面に表示するための配信情報を、属性情報に応じて配信態様を変更して配信するステップと、を実行させる。
【００９７】
なお、本願明細書内で、説明した各手段、すなわち、検知手段、取得手段、分類手段、配信手段、課金手段は、情報配信装置（コンピュータ）の主要部としてのＣＰＵが発揮する機能を概念したものであり、物理的なモジュール等を概念するものではない。また、これらは、適宜、検知部、取得部、分類部、配信部、課金部と読み替えることができる。
【符号の説明】
【００９８】
広告情報（配信情報）：Ａ
詳細情報（第１配信情報）：Ａ１，Ａ１ｘ，Ａ１ｙ
中間ページ情報（第２配信情報）：Ａ２，Ａ２ｘ，Ａ２ｙ
バナー画像（所定の表示情報）：Ｂ，Ｂｘ，Ｂｙ
分類基準：Ｃ
広告情報データベース：ＤＢ１
課金情報データベース：ＤＢ２
属性情報：Ｆ１
選択情報：Ｆ２，Ｆ２０
広告事業者：Ｌ
メデイア配信者：Ｍ
広告配信プログラム（情報配信プログラム）：Ｐ
検知手段：Ｐ１
取得手段：Ｐ２
分類手段：Ｐ３
配信手段：Ｐ４
課金手段：Ｐ５
広告システム：Ｓ
インターネット：Ｗ
広告主：Ｘ，Ｙ
広告配信装置（情報配信装置、コンピュータ）：１
ＣＰＵ（コンピュータの主要部）：１ａ
メモリ（記憶装置）：１ｂ
端末（パーソナルコンピュータ（ＰＣ））：２
表示画面：２ａ
広告主サーバ：３，３０
広告主サイト：３ａ
詳細情報：３ｂ
メデイアサーバ（ニュースサーバ）：４
メディアサイト（ニュースサイト）：４ａ
コンテンツ情報（ニュース情報）：４ｂ
広告枠：４ｃ
広告主情報：５
課金情報：６
第１課金情報：６ａ
第２課金情報：６ｂ
第３課金情報：６ｃ
【図１】
2014134995.tif 000003
【図２】
2014134995.tif 000004
【図３】
2014134995.tif 000005
【図４】
2014134995.tif 000006
【図５】
2014134995.tif 000007
【図６】
2014134995.tif 000008
【図７】
2014134995.tif 000009
【図８】
2014134995.tif 000010
【図９】
2014134995.tif 000011